(57)【特許請求の範囲】
【請求項１】
錠装置の錠機構部より進出するデッドボルトを受け入れ、ストライク板に覆われて、該ストライク板とともに固定される錠前用受け部材の構造であって、
前記デッドボルトの挿入空間を形成する箱状枠構造とされ、奥行き方向に延び略平行な対向面を構成する一対の側板を具備するとともに、前記ストライク板に沿う一対の取付片が外方に延設されるトロヨケと、
前記トロヨケの側板縁部に沿う側縁部を備えた板状に形成され、該トロヨケの底部を構成し、前記両取付片に重合する一対の耳部を備えるトロヨケカバーと、
を具備し、
前記トロヨケカバーの前記両耳部の基端が、前記トロヨケの両側板間に嵌入し、
該両側板の対向面と、該対向面に当接する前記両耳部の基端における両側縁の４か所には、互いに係合しあう係合部と被係合部との組み合わせで構成される係合手段がそれぞれ設けられることを特徴とする錠前用受け部材の構造。
【請求項２】
前記トロヨケカバーは、弾性を有する素材で構成され、前記両側板の各対向面に対し弾性力にて係合する前記係合手段とされ該係合状態を維持することを特徴とする請求項１記載の錠前用受け部材の構造。
【請求項３】
前記係合手段は、
前記両側板の対向面にカシメにて形成する凹部よりなる被係合部と、
前記両耳部の基端に斜め外方に延設され前記両側板間の間隔幅長よりも突出して対となる突片状の係合部と、
で構成され、該係合部の弾性力で前記被係合部に係合することを特徴とする請求項２記載の錠前用受け部材の構造。
【発明の詳細な説明】
【技術分野】
【０００１】
本発明は、扉や引戸などの開閉体に設けられる錠装置の錠機構部より進出するデッドボルトを受け入れる錠前用受け部材の構造に関するものである。
【背景技術】
【０００２】
扉や引戸などの開閉体に設けられる錠装置を構成する錠機構部には、開閉体の木口に対して進退するデッドボルトが備えられており、この木口に対向する建物側の枠体に設けられる受け部材が、進出するデッドボルトを受け入れるようになっている。この受け部材は、一般にトロヨケと称し、一面が開口される略箱状に形成されて、枠体内に納まる構造とされ、また、この受け部材は開口の面積を狭めてデッドボルトの進入口となる開口部を備えたストライク板にて覆われ、このストライク板とともにビス等の固定手段にて固定される構造となっている。
【０００３】
受け部材となるトロヨケは、従来では一枚板を折曲形成加工（特許文献１参照）やプレス加工で箱状に形成して得ていたが、近年では側板とストライク板と共締めされる取付片とで構成される略枠状の部材をトロヨケとし、箱構造の底となる板部材をトロヨケカバーとして組み合わせて構成されている。これらトロヨケとトロヨケカバーとで別体構造とすることで、それぞれの機能を分けて素材を選定することができ、また折曲加工の場合の加工工程を簡素化できることとなった。
【先行技術文献】
【特許文献】
【０００４】
【特許文献１】特開２０００−２０２５号公報（図３）
【発明の概要】
【発明が解決しようとする課題】
【０００５】
しかしながら、上述した従来の受け部材では、トロヨケとトロヨケカバーとをストライク板とともに組み付ける際に、それぞれに形成された貫通穴を連通状態としてビス等を挿通し固定する構成とされ、すなわち別体となったトロヨケとトロヨケカバーとを施工現場にて組み合わせ、これらの各貫通穴を連通状態とする作業を必要とし、すなわち施工工数を増やす欠点を有している。
また、トロヨケとトロヨケカバーとで別体構造としたことで、本来であれば１つの部品の管理であった受け部材を２つ１組として管理しなければならず、また施工現場への搬入も組み合わせた状態としなくてはならないことから、製造時における工数の削減効果があるものの、製造後における管理や施工現場での工程数など煩雑さが増え、改善が求められていた。
【０００６】
そこで本発明は、上記問題点を解消するために、別体構造のトロヨケとトロヨケカバーとを容易に管理可能とするとともに、施工現場への輸送時や施工現場における組付作業を容易なものとすることができる錠前用受け部材の構造を提供することを目的としている。
【課題を解決するための手段】
【０００７】
次に、上記の課題を解決するための手段を、実施の形態に対応する図面を参照して説明する。
この発明の請求項１記載の錠前用受け部材の構造は、錠装置１３の錠機構部より進出するデッドボルト１５を受け入れ、ストライク板２３に覆われて、該ストライク板２３とともに固定される錠前用受け部材３１の構造であって、
前記デッドボルト１５の挿入空間６９を形成する箱状枠構造とされ、奥行き方向に延び略平行な対向面３９ｂを構成する一対の側板３９を具備するとともに、前記ストライク板２３に沿う一対の取付片４３が外方に延設されるトロヨケ３３と、
前記トロヨケ３３の側板縁部３９ａに沿う側縁部５３ａを備えた板状に形成され、該トロヨケ３３の底部を構成し、前記両取付片４３に重合する一対の耳部５７を備えるトロヨケカバー３５と、
を具備し、
前記トロヨケカバー３５の前記両耳部５３の基端６１が、前記トロヨケ３３の両側板３９，３９間に嵌入し、
該両側板３９の対向面３９ｂと、該対向面３９ｂに当接する前記両耳部５７の基端６１における両側縁の４か所には、互いに係合しあう係合部６５と被係合部５１との組み合わせで構成される係合手段４９がそれぞれ設けられることを特徴とする。
【０００８】
この錠前用受け部材の構造では、トロヨケ３３の両側板３９間にトロヨケカバー３５の耳部基端６１が嵌入すると、両側板３９と耳部基端６１との間に構成される係合手段４９によって、互いが係合状態となり、トロヨケ３３とトロヨケカバー３５とは仮固定状態となる。これにより、管理時に離散してしまうこともなく、また輸送時に互いを紛失するようなこともなくなり、組立施工時の煩雑さが無くなる。
【０００９】
請求項２記載の錠前用受け部材の構造は、請求項１記載の錠前用受け部材の構造であって、
前記トロヨケカバー３５は、弾性を有する素材で構成され、前記両側板３９の各対向面３９ｂに対し弾性力にて係合する前記係合手段４９とされ該係合状態を維持することを特徴とする。
【００１０】
この錠前用受け部材の構造では、トロヨケ３３に対してトロヨケカバー３５を組み付けることで、係合手段４９の一方であるトロヨケカバー３５側が弾性力で係合状態となり、その係合状態が維持される。弾性力とされることで、組み付けが行いやすく、且つ組み付け状態である仮固定状態が維持されることとなる。
【００１１】
請求項３記載の錠前用受け部材の構造は、請求項２記載の錠前用受け部材の構造であって、
前記係合手段４９は、
前記両側板３９の対向面３９ｂにカシメにて形成する凹部よりなる被係合部５１と、
前記両耳部５７の基端６１に斜め外方に延設され前記両側板３９，３９間の間隔幅長よりも突出して対となる突片状の係合部６５と、
で構成され、該係合部６５の弾性力で前記被係合部５１に係合することを特徴とする。
【００１２】
この錠前用受け部材の構造では、側板３９にはカシメで形成される凹部よりなる被係合部５１が設けられ、容易な製造手段及び製造工程で得ることができ、また、突片状の係合部６５も、耳部基端６１から突設形成した突片を折曲するのみで得られ、それぞれを容易に製作でき、且つ互いを組み付けると確実に仮固定状態を保てる構成とすることができる。
【発明の効果】
【００１３】
本発明による請求項１記載の錠前用受け部材の構造では、トロヨケの両側板間にトロヨケカバーの耳部基端が嵌入すると、両側板と耳部基端との間に係合部と被係合部とで構成される係合手段によって、互いが係合状態となり、トロヨケとトロヨケカバーとは仮固定状態となる。係合手段は、両側板の対向面と、各対向面に当接する両耳部の基端における両側縁の計４か所とされ、確実に仮固定状態を維持でき、これにより、容易に脱落しあうことがなくなり、製造後の管理時に離散してしまうこともなく、また輸送時における振動などで外れてしまい、互いを紛失するようなこともなくなり、２つの異種素材の部品を１つの部品の状態で扱えることとなって、ストライク板とともに組み立てする際の施工時の煩雑さが低減されるという効果が得られる。
【００１４】
請求項２記載の錠前用受け部材の構造では、トロヨケに対してトロヨケカバーを組み付けることで、係合手段の一方であるトロヨケカバー側が弾性力で係合状態となり、その係合状態が維持される。弾性力とされることで、組み付けが行いやすく、且つ組み付け状態である仮固定状態が維持できるという効果がある。
【００１５】
請求項３記載の錠前用受け部材の構造では、側板にはカシメで形成される凹部よりなる被係合部が設けられ、容易な製造手段及び製造工程で得ることができ、また、突片状の係合部も、耳部基端から突設形成した突片を折曲するのみで得られ、それぞれを容易に製作でき、且つ互いを組み付けると確実に仮固定状態を保てる構成とすることができるという効果がある。
【図面の簡単な説明】
【００１６】
【図１】開閉体とともに表した本発明に係る錠前用受け部材の構造の外観斜視図である。
【図２】錠前用受け部材の分解斜視図である。
【図３】錠前用受け部材の一部断面側面図である。
【図４】錠前用受け部材を構成するトロヨケカバーの側面図を（ａ）に、トロヨケの縦断面図を（ｂ）に示した図である。
【図５】トロヨケとトロヨケカバーとの係合前状態を（ａ）に、係合状態を（ｂ）に示した断面図である。
【図６】（ａ）〜（ｈ）はトロヨケとトロヨケカバーとの係合手段の他の例を示す断面図である。
【発明を実施するための形態】
【００１７】
図１は開閉体とともに表した本発明に係る錠前用受け部材の構造の外観斜視図である。本発明の錠前用受け部材の構造は、扉や引戸などの開閉体１１に設けられる錠装置１３の錠機構部に進退動作するデッドボルト１５が進出した際に受け入れ、扉や引戸１１などに対する非開閉体である建物側の枠体１７に配設されるものである。本実施の形態では、開閉体としては引戸１１とされ、デッドボルトの形状が先端鎌状に屈曲形成されたカマデッド１５を具備した構成として以下説明する。
【００１８】
引戸１１の戸先には、錠装置１３が内設され、戸の表裏面１１ａには錠装置１３に連動連結され配設される操作部材１９が設けられる。この操作部材１９は例えばサムターンなどである。錠装置１３を構成する錠機構部には、引戸１１の木口面１１ｂから進退するデッドボルトとしてのカマデッド１５が設けられており、施錠の際には木口面１１ｂに設けられたフロント板２１から進出する。
【００１９】
この引戸１１が設けられる建物の枠体１７には、戸先の木口面１１ｂに対向する面１７ａに、ストライク板２３が設けられる。ストライク板２３は、縦長な略短冊状の板材で、略中央に貫通形成された開口部２５を有する。本実施の形態では、カマデッド１５が進入する開口部２５とされることから、板面の下半部側に開口部２５が形成され、開口部２５から進入するカマデッド１５の先端が上半部裏面２３ａにて係止状態となるよう構成されている。また、ストライク板２３の上下両端には固定穴２７がそれぞれ穿設されている。
【００２０】
図２は錠前用受け部材の分解斜視図、図３は錠前用受け部材の一部断面側面図、図４は錠前用受け部材を構成するトロヨケカバーの側面図を（ａ）に、トロヨケの縦断面図を（ｂ）に示した図、図５はトロヨケとトロヨケカバーとの係合前状態を（ａ）に、係合状態を（ｂ）に示した概略断面図である。
建物枠体１７のストライク板２３の奥方には、ストライク板２３の裏面２３ａに沿って受け部材３１が配設される。受け部材３１は、トロヨケ３３とトロヨケカバー３５とで大略構成される。
トロヨケ３３は、所定の厚さの金属板よりなり、ストライク板２３の外形と略同形状となる縦長な矩形板状の基板部３７と、基板部３７の左右側縁に基板部３７の板面に直交し折曲形成された一対の側板３９とを備える。基板部３７には、略中央に貫通した開口４１を有する。本実施の形態では、ストライク板２３と同様に、下半部側に開口４１が形成される。基板部３７の上下両端は、側板３９よりも長尺となって形成され、それぞれ取付片４３とされる。取付片４３の略中央には、ストライク板２３の固定穴２７と連通する取付穴４５が穿設されている。一対の側板３９は、互いに平行となって形成され、本実施の形態では、略半円状に形成されている。これら側板３９は、基板部３７に対して奥行き方向に延出することとなり、基板部３７の開口４１を中心に箱状枠構造となって、デッドボルト１５先端の挿入空間６９を形成している。また、側板３９の湾曲した縁部３９ａには、中途に凸部４７が形成される。
【００２１】
トロヨケ３３の両側板３９，３９の対向する内面３９ｂには、係合手段４９を構成する被係合部５１が形成される。本実施の形態では、被係合部５１は凹溝状に形成され、側板３９の上下両端における基板部３７に近接した位置とされ、両側板３９の上下で計４か所に設けられている。これら被係合部５１は、例えばカシメなどの成形手段で形成され、本実施の形態では略矩形状に形成される。なお、この被係合部５１を形成するカシメ工程は、トロヨケ３３の製造工程において，基板部３７に対して両側板３９を折曲形成する以前に行われることが好ましく、これにより正確な位置に最適な深さで各被係合部５１をそれぞれ配置させることが可能となる。
【００２２】
トロヨケカバー３５は、弾性を備えた薄い板材よりなり、底板部５３と、底板部５３の上下に連結する略水平な壁部５５と、上下両壁部５５に延設される耳部５７とで構成される。本実施の形態では、底板部５３は縦長に形成されるとともに湾曲して形成され、トロヨケ３３の湾曲した縁部３９ａに沿う弓状に形成されている。この底板部５３は、左右の側縁部５３ａが、トロヨケ３３の側板縁部３９ａに沿うとともに、この側板縁部３９ａの凸部４７が嵌入可能な凹部５９が形成されている。本実施の形態では、このトロヨケカバー３５は、上下の壁部５５，５５間の間隔長さＨ２が、トロヨケ３３の側板３９の上下の長さＨ１よりも短く設定されており、且つ両側板３９の間隔幅Ｗ１よりもやや短い幅長Ｗ２で形成されており、トロヨケ３３に対してトロヨケカバー３５を組み付けた際に、両壁部５５が両側板３９間に嵌入するようになっている。壁部５５に対して延設される耳部５７は、壁部５５の板面に対し略直交して延設され、壁部５５に連結される基端６１は、壁部５５の幅長５５と略同幅に形成されている。本実施の形態では、耳部５７は、壁部５５に対してやや鋭角よりに屈曲形成されている。また、耳部５７の略中央には、ストライク板２３の固定穴２７及びトロヨケ３３の取付穴４５と連通する貫通穴６３が穿設されている。
【００２３】
トロヨケカバー３５の上下両耳部５７の各基端６１には、左右側縁に位置して、係合手段４９を構成する係合部６５が形成される。本実施の形態では、このトロヨケカバー３５をトロヨケ３３に組み付けた際に、トロヨケ３３の各被係合部５１に両耳部５７の各基端６１の左右側縁が対向し当接するような位置となり、これら基端６１の左右側縁の４か所に係合部６５が形成される。各係合部６５は、耳部５７の基端６１から外方向に延設された矩形状の突片状に形成され、耳部５７の板面に対して略直角に近い外方斜めに折曲形成されている（図５（ａ）参照）。上下両耳部５７の各係合部６５、すなわち上部耳部５７の左右各係合部６５と下部耳部５７の左右各係合部６５はそれぞれ対となり、左右先端を結ぶ幅長Ｗ３がトロヨケ３３の両側板３９の対向面３９ｂの間隔距離Ｗ１よりもやや大きく設定されている。
【００２４】
したがってトロヨケ３３にトロヨケカバー３５を組み付けると、トロヨケカバー３５の上下壁部５５と耳部５７の基端６１が左右両側板３９，３９間に進入し、そしてトロヨケカバー３５の各係合部６５が側板３９の板面３９ｂにて弾性を抑えられながら、トロヨケ３３の各被係合部５１に進入して係り、その組み付け状態が維持されることとなる。すなわち、各係合部６５の外方に傾斜した先端が、凹部となっている被係合部５１に嵌入し、組み付け方向と逆となる逆鉤状となって係合状態となり、弾性力による形状復元力で互いが係合することとなって脱落が不可能な状態となる。これにより、別工程で製作されたトロヨケ３３とトロヨケカバー３５とが略一体な仮固定状態となる。
【００２５】
またトロヨケ３３の側板３９の凸部４７とトロヨケカバー３５の底板部５３の凹部５９とが三枚組接ぎのように嵌まり合い、受け部材３１としての底部外側縁部分の互いのズレを防止するようになっている。このように組み付けられた受け部材３１の仮固定状態では、管理時に離散してしまうこともなく、また輸送時に互いを紛失するようなこともなくなる。さらに係合手段４９を複数としたことで、組み立ての際の位置決めともなり、トロヨケ３３の長手方向に沿ってトロヨケカバー３５が正しく納まり、且つ側板３９の凸部４７と底板部５３の凹部５９による位置決め状態もあることで、それぞれ別素材の部材同士でありながら、略一体な受け部材３１を構成する。
【００２６】
このように仮固定状態となったトロヨケ３３とトロヨケカバー３５とからなる錠前用受け部材３１は、建物枠体１７に組み付ける際に、ストライク板２３とともにビスなどの固定部材６７にて締結固定が行われる。これらトロヨケカバー３５の底板部５３と側板３９の対向面３９間と基板部３７の裏面側とで略舟形の空間が形成され、カマデッド１５先端の受け入れ空間６９となる。なお、締結固定以前に、トロヨケカバー３５の上下両耳部５７が図４（ａ）に示すようにトロヨケ３３の裏面に対してやや反っているが、締結固定することにより各耳部５７はトロヨケ３３の取付片４３に密着することとなる。この耳部５７の傾斜はバネ座金と同様の緩み止め効果が得られるものである。また、トロヨケ３３の開口４１よりもストライク板２３の開口部２５が小幅に形成されており、デッドボルト１５の進入穴として制限が行われている。
【００２７】
なお、上述した実施の形態では、係合手段４９の構成として、係合部６５を突片状に形成し、被係合部５１をカシメによる凹部とした例について述べたが、これら係合部６５と被係合部５１との組み合わせは、その他の形状，構造としても良く、例えば図６（ａ）（ｂ）に示すように、トロヨケカバー３５Ａの係合部６５Ａの形状は上記実施の形態と同様に突片状に形成し、トロヨケ３３Ａ被係合部５１Ａの形状としての凹部を矩形ではなく鉤状係止となるような傾斜面よりなる凹部として形成する構成や、図６（ｃ）（ｄ）に示すように、トロヨケカバー３５Ｂの係合部６５Ｂを略半円形若しくは略半球形に形成し、トロヨケ３３Ｂの被係合部５１Ｂを湾曲凹面に形成し組み合わせる例や、さらには、図６（ｅ）（ｆ）に示すようように、トロヨケ３３Ｃに係合部６５Ｃとして略半球状の凸部を形成し、トロヨケカバー３５Ｃに湾曲凹面よりなる被係合部５１Ｃを形成する構成としても良く、図６（ｇ）（ｈ）に示すように、係合部６５Ｄとしてトロヨケ３３Ｄに略半球状の凸部を形成して、トロヨケカバー３５Ｄに貫通穴よりなる被係合部５１Ｄを形成し、それぞれで係合手段４９を構成することとしても良い。このように係合部と被係合部とは、トロヨケとトロヨケカバーとにそれぞれ組み合わせて構成されることで、互いの組み付け状態を維持できることとなる。
【００２８】
また、上述した実施の形態では、トロヨケ３３の側板３９の形状を略半円状に形成し、トロヨケカバー３５の底板部５３の板面形状を湾曲した弓状に形成した例について述べたが、この例では上記したカマデッド１５の進入軌跡に沿う形状とされており、真直に閂状のデッドボルト先端が進入するような場合での受け部材３１としては、側板３９の形状を矩形状として構成しても良く、トロヨケカバー３５の形状を側板３９の縁部３９ａに沿って略コ字状に屈曲形成した構成としても良い。そして、上記同様にトロヨケカバー３５との嵌合状態を形成して、互いが係合し合う係合手段４９を備えることで上記同様の効果を得られる。
【００２９】
さらに、上述した実施の形態では、引戸１１に設けられる錠装置１３を例とし、デッドボルトとしてカマデッド１５を備えた構成の例を述べたが、開閉体として扉で構成され閂状のデッドボルトを備える錠装置に用いられる受け部材であっても同様であり、上述した効果を得ることができるものである。
【符号の説明】
【００３０】
１３…錠装置
１５…デッドボルト（カマデッド）
２３…ストライク板
３１…受け部材
３３…トロヨケ
３５…トロヨケカバー
３９…側板
３９ａ…縁部
３９ｂ…面
４３…取付片
４９…係合手段
５１…被係合部
５３ａ…側縁部
５７…耳部
６１…基端
６５…係合部
６９…空間
【図１】
0005595937.tif 000002
【図２】
0005595937.tif 000003
【図３】
0005595937.tif 000004
【図４】
0005595937.tif 000005
【図５】
0005595937.tif 000006
【図６】
0005595937.tif 000007